(57)【特許請求の範囲】
【請求項１】
有底筒状の内容物収容部を備えるレフィル用の内容器と、有底筒状の内容器収納部を備える外容器と、前記内容器収納部の上端部に該内容器収納部の中心軸線の周りで回動可能に取付けられた回動部材とを備え、
前記内容器は、前記内容器収納部の中心軸線の周りで回動不能に前記内容器収納部に収納され、
前記回動部材は、前記外容器の側壁部の内側に配置される筒状壁を有し、該筒状壁の内周面に、前記内容器の周壁部の外周面に設けられた雄ねじ部に対応する雌ねじ部が設けられ、
前記内容器の交換に際し、前記外容器に対して前記回動部材を一方側へ回動させることにより、前記雄ねじ部と前記雌ねじ部が係合して前記内容器が上方へ移動するように構成されており、
前記雄ねじ部と前記雌ねじ部が、多条ねじであり、
前記筒状壁は、前記側壁部の上端部に設けられた口部の内側に配置されており、
前記口部は、前記側壁部における前記口部の下側の部分よりも内径が大きくなっていることを特徴とする二重容器。
【請求項２】
前記回動部材と前記内容器との間には、前記内容器を前記回動部材の内側に挿入した際に互いに乗り越え嵌合することで前記内容器の抜け出しを妨げる嵌合部が設けられている、請求項１に記載の二重容器。
【請求項３】
前記外容器の側壁部の内周面に、前記内容器の周壁部の外周面に設けられた凸部が嵌り込むことで、前記外容器に対する前記内容器の回動を防止する凹部が設けられている、請求項１又は２に記載の二重容器。
【発明の詳細な説明】
【技術分野】
【０００１】
本発明は、レフィル（詰め替え）用の内容器と外容器とを備える二重容器に関し、特には、内容器の交換を容易化すると共に容器の外観設計の自由度を向上しようとするものである。
【背景技術】
【０００２】
従来、クリーム等の内容物を収容する容器として、内容物のレフィル用の内容器と外容器とを備える二重容器が知られている。このような二重容器では、内容器の交換に際し、内容器を外容器から取外す必要があるが、その取外しの要領としては、例えば、内容器を摘み引き上げる、外容器本体底部に内容器を押し上げるための貫通孔を設ける、コイン等を用い抉じ開ける、といったものが考えられる。また、例えば特許文献１では、内容器に押圧操作により回動可能な押圧部を設け、外容器には、該押圧部を露出させる切欠き部を設けると共に該押圧部が係止可能な被係止部を設けている。
【先行技術文献】
【特許文献】
【０００３】
【特許文献１】特開２０１０−１９５４８４号公報
【発明の概要】
【発明が解決しようとする課題】
【０００４】
しかしながら、前記したような内容器の取外し要領を採用する場合には、内容器を取外すのに比較的大きな力が必要となったり、貫通孔や切欠き部を設けるために容器の外観設計上の制約を生じたりするといった問題がある。また交換の要領を分かり易く、特に高齢者にとって使い易いものとすることも望まれている。
【０００５】
それゆえ、本発明は、内容器の交換を容易化すると共に容器の外観設計の自由度を向上することができる二重容器を提供することを目的とする。
【課題を解決するための手段】
【０００６】
本発明は上記課題を解決するためになされものであり、本発明の二重容器は、有底筒状の内容物収容部を備えるレフィル用の内容器と、有底筒状の内容器収納部を備える外容器と、前記内容器収納部の上端部に該内容器収納部の中心軸線の周りで回動可能に取付けられた回動部材とを備え、
前記内容器は、前記内容器収納部の中心軸線の周りで回動不能に前記内容器収納部に収納され、
前記回動部材は、前記外容器の側壁部の内側に配置される筒状壁を有し、該筒状壁の内周面に、前記内容器の周壁部の外周面に設けられた雄ねじ部に対応する雌ねじ部が設けられ、
前記内容器の交換に際し、前記外容器に対して前記回動部材を一方側へ回動させることにより、前記雄ねじ部と前記雌ねじ部が係合して前記内容器が上方へ移動することを特徴とする。
【０００７】
なお、本発明の二重容器にあっては、前記回動部材と前記内容器との間には、前記内容器を前記回動部材の内側に挿入した際に互いに乗り越え嵌合することで前記内容器の抜け出しを妨げる嵌合部が設けられていることが好ましい。
【０００８】
また、本発明の二重容器にあっては、前記雄ねじ部と前記雌ねじ部が、多条ねじであることが好ましい。
【０００９】
なお、本発明の二重容器にあっては、前記外容器の側壁部の内周面に、前記内容器の周壁部の外周面に設けられた凸部が嵌り込むことで、前記外容器に対する前記内容器の回動を防止する凹部が設けられていることが好ましい。
【発明の効果】
【００１０】
本発明によれば、内容器の交換に際し、外容器に設けられた回動部材を回動させるだけで、内容器が上方へ移動するため、比較的小さな力で内容器を容易に取外すことができる。また、内容器を取外すために、内容器を押圧するための貫通孔や切欠き部を外容器に設ける必要もない。
【００１１】
したがって、本発明によれば、内容器の交換を容易化すると共に容器の外観設計の自由度を向上することができる二重容器を提供することができる。
【図面の簡単な説明】
【００１２】
【図１】本発明の一実施形態に係る二重容器の一部断面側面図及び部分拡大図であり、内容物を使い切った状態を示す。
【図２】（ａ）は、図１の二重容器のための新たな内容器の一例を示す一部断面側面図であり、（ｂ）は新たな内容器の他の例を示す一部断面側面図である。
【図３】（ａ）は、図１の二重容器における外容器キャップを取外した状態を示す平面図であり、（ｂ）は図１の二重容器における内容器の交換要領を説明するための、外容器キャップを取外した状態を示す一部断面側面図である。
【図４】（ａ）は図３（ｂ）の状態から内容器を引き上げた状態を示す一部断面側面図であり、（ｂ）はさらに内容器を取外した状態を示す一部断面側面図である。
【図５】図１の二重容器における内容器の交換要領を説明するための一部断面側面図であり、（ａ）は図４（ｂ）の状態からさらに図２の新たな内容器を外容器内に挿入した状態を示し、（ｂ）は新たな内容器の挿入が完了した状態を示す。
【発明を実施するための形態】
【００１３】
以下、図１〜図５を参照して、本発明の一実施形態に係る二重容器１について詳細に例示説明する。なお、本明細書において、上下方向とは、内容器１０及び外容器２０の中心軸線Ｏに沿う方向を意味し、上方とは内容器１０の内容物収容部１１の開口部１２が位置する側（例えば、図１における上方）、下方とは内容物収容部１１の底壁部１４が位置する側（例えば、図１における下方）を意味するものとする。
【００１４】
図１に示すように、本実施形態に係る二重容器１は、レフィル用の内容器１０と、外容器２０と、回動部材３０と、外容器キャップ４０とを備えている。
【００１５】
内容器１０は、軸線Ｏを中心とする有底筒状の内容物収容部１１を備えている。すなわち、内容物収容部１１は、その上部に開口部１２を形成すると共に、周壁部１３及び底壁部１４とを有する。周壁部１３の外周面上部には、環状の外向き凸部１５（嵌合部）が設けられている。また、周壁部１３の上端部には、径方向外側に延びる円環状のフランジ部１６が設けられている。さらに周壁部１３の外周面には、雄ねじ部１７が設けられており、雄ねじ部１７の下方には上下方向に延びる縦リブ１８（凸部）が突設されている。本実施形態において縦リブ１８は、周壁部１３の周方向に間隔をあけて４箇所に均等配置されているが、これに限られるものではない。
【００１６】
また、内容器１０は、未使用の状態では、図２（ａ）に示すように、内容器キャップ５０が装着されることで内容物収容部１１の開口部１２が閉塞され、クリーム等の内容物Ｃの品質が維持されるようになっている。内容器キャップ５０は、円板状の天壁部５１と、天壁部５１の外縁部から垂下する円筒状の外壁部５２とを備えている。また、内容器キャップ５０は、外壁部５２の内側で天壁部５１の下面から垂下して周壁部１３の内周面に当接する封止筒５３を備えている。外壁部５２の内周面には、内容器１０のフランジ部１６に嵌合する環状凸部５４が設けられている。また、外壁部５２の下端部には、外側に延びるフランジ５５が設けられている。なお、内容器キャップ５０の構成は、特に限定されるものではなく、開口部１２を塞いでクリーム等の内容物Ｃの品質が維持されるようになっていれば任意の構造のキャップを用いることができ、図２（ｂ）に示すように、周壁部１３の上面にシール部材５６を剥離可能に貼着した構成とすることも可能である。
【００１７】
外容器２０は、図１に示すように、内容器１０を収納可能な軸線Ｏを中心とする有底筒状の内容器収納部２１を備えている。すなわち、内容器収納部２１は、その上部に開口部２２を形成すると共に、側壁部２３及び底壁部２４とを有する。側壁部２３の上端部には、外周面に雄ねじ２５を設けた口部２６が設けられている。口部２６は、その外径が口部２６の下方の側壁部２３よりも小さく、その内径は大きくなるよう形成されている。口部２６の上方には、さらに外径が小さい上端筒部２７が設けられ、上端筒部２７の外周面には、外向き凸部２８（嵌合保持部）が設けられている。側壁部２３の内周面には、縦リブ１８（凸部）が嵌り込むことで外容器２０に対する内容器１０の回動を防止する縦溝２９（凹部）が設けられている。すなわち、内容器１０は、外容器２０に対して中心軸線Ｏの周りで回動不能に取付けられる構成とされている。
【００１８】
回動部材３０は、内容器収納部２１における側壁部２３の上端部に、中心軸線Ｏの周りで回動可能に取付けられている。回動部材３０は環状（リング状）に形成され、口部２６及び上端筒部２７の内側に配置される円筒状の筒状壁３１と、筒状壁３１の上端部から径方向外側に延びる円環状のフランジ部３２と、フランジ部３２の外周縁から垂下する外周壁３３とを有する。筒状壁３１の内周面には、内容器１０の雄ねじ部１７に係合する雌ねじ部３４が設けられている。なお、雄ねじ部１７及び雌ねじ部３４は多条ねじとすることが好ましいが、これに限定されず、一条ねじ等とすることも可能である。雌ねじ部３４の上方には、外向き凸部１５（嵌合部）と嵌合して、内容器１０の抜け出しを妨げる内向き凸部３５（嵌合部）が設けられている。また、外周壁３３の内周面には、外向き凸部２８（嵌合保持部）に嵌合する内向き凸部３６（嵌合保持部）が設けられており、外容器２０からの回動部材３０の抜け出しを防止している。また、フランジ部３２の下面には、回動部材３０を回動させた際に上端筒部２７の上面２７ａに摺接する第１突起部３２ａが設けられている。さらに、外周壁３３の下面には、回動部材３０を回動させた際に口部２６の上面２６ａに摺接する第２突起部３３ａが設けられている。なお、本実施形態においては、第１突起部３２ａが上端筒部２７の上面２７ａに当接し、また、第２突起部３３ａが口部２６の上面２６ａに当接することで回動部材３０が外容器２０に下方から支持される構成としているが、これに限られるものではなく、少なくとも筒状壁３１、フランジ部３２、外周壁３３の何れかの下面が外容器２０によって下方から支持されていればよい。
【００１９】
ここで、図３（ａ）は、図１に示す状態の二重容器１から外容器キャップ４０を取外した状態を表す平面図であり、図３（ｂ）は、一部断面側面図である。外周壁３３の外周面３３ｂは、図３（ａ）に示すように、平面視で正２０角形となるように形成されており、単純な円筒状の外周面に比べて、回動部材３０を回動させる際に把持し易く、滑り難くなっている。なお、外周壁３３の外周面３３ｂの形状は特に限定されるものではないが、上記の理由から平面視で多角形状とすることが好ましい。
【００２０】
外容器キャップ４０は、図１に示すように、円筒状の外壁部４１と、外壁部４１の上端部を閉塞するドーム状の天壁部４２とを備えている。外壁部４１の内周面には、前述した雄ねじ２５と螺合する雌ねじ４３が設けられている。天壁部４２の下面には、円板状のパッキン４４が貼着されており、内容器１０のフランジ部１６の上面に形成された円環状のシール突起１６ａとパッキン４４とが密接することで、内容物収容部１１が密封されるようになっている。なお、天壁部４２はドーム状に限らず、平面状又は凹面状など、任意の形状であってもよい。また、本実施例ではパッキン４４を貼着にて組付けているが、これに限られるものではなく、外容器キャップ４０の外壁部４１内周面に凸部を設け、乗越えることで組付けるなど、パッキン４４が脱落しない程度に組付けられていればよく、その組付け方法は適宜選択可能である。
【００２１】
かかる構成になる二重容器１によれば、内容物Ｃを使い切った際などに、以下の要領で内容器１０を新たな内容器１０と交換することができる。すなわち、まず、図１に示す状態から外容器キャップ４０を取外し、次いで図３（ｂ）に示すように、回動部材３０を外容器２０に対して中心軸線Ｏの周りで一方側に回動させる。内容器１０は外容器２０に対して回動不能とされているため、回動部材３０のみが回動し、内容器１０の雄ねじ部１７と回動部材３０の雌ねじ部３４が係合することにより、内容器１０と回動部材３０との間には、上下方向に相互に離間する方向の力が作用する。回動部材３０は外容器２０に支持されて下方への移動を規制されているため、内容器１０が上方に移動する。この時、外向き凸部１５と内向き凸部３５との嵌合が解除されるため、あとは図４（ａ）に示すように、上方へ移動した内容器１０をさらに引き出すだけで、内容器１０を外容器２０から取り出し、そのままの状態で破棄することができる。図４（ｂ）は、内容器１０を取外した状態を示している。このようにして内容器１０を取り出した後は、図２（ａ）、（ｂ）に示したような新たな内容器１０から、内容器キャップ５０またはシール部材５６を取外し、図５（ａ）に示すように、新たな内容器１０を外容器２０の内容器収納部２１に挿入していく。新たな内容器１０を押し込んでいくと、内容器１０の雄ねじ部１７と回動部材３０の雌ねじ部３４が係合し、内容器１０を取外す場合と逆側（他方側）に回動部材３０が外容器２０に対して回動する。図５（ｂ）に示す状態まで内容器１０を押し込むことで、内容器１０の交換が完了する。この時、外向き凸部１５と内向き凸部３５とが互いに乗り越え嵌合することで内容器１０の抜け出しを妨げることができる。なお、新たな内容器１０を取り付ける方法としては、内容器１０を押し込まずに、回動部材３０の回動操作によって内容器１０を下方移動させてもよい。すなわち、内容器収納部２１に新たな内容器１０を置いた状態で、回動部材３０を外容器２０に対して他方側に回動させることにより、雄ねじ部１７と雌ねじ部３４を係合させて内容器１０を下方に移動させ、内容器１０を図５（ｂ）に示す状態まで挿入することも可能である。
【００２２】
以上説明したように、本実施形態に係る二重容器１は、外容器２０の内容器収納部２１の上端部に設けた回動部材３０を一方側に回動させると、回動部材３０の雌ねじ部３４が内容器１０の雄ねじ部１７と係合して、内容器１０を上方へ移動させる構成となっている。したがって、内容器１０の交換に際し、比較的小さな力で内容器１０を容易に取外すことができる。また、使用済みの内容器１０を取外した後は、新たな内容器１０を外容器２０の内容器収納部２１に押し込む操作、あるいは回動部材３０の回動操作のみで内容器１０の取付けが完了するため、容易に新たな内容器１０を取付けることができる。
【００２３】
また、内容器１０を取外すために、内容器１０を押圧するための貫通孔や切欠き部を外容器２０に設ける必要もない。したがって、本実施形態によれば、内容器１０の交換を容易化すると共に容器の外観設計の自由度を向上することができる。
【００２４】
また、本実施形態に係る二重容器１では、内容器１０に設けた外向き凸部１５と回動部材３０に設けた内向き凸部３５とが、内容器１０を回動部材３０の内側に挿入した際に互いに乗り越え嵌合して、内容器１０の抜け出しを妨げる構成により、外容器キャップ４０を外した状態（図３（ｂ）の状態）において内容器１０が脱落することを防止することができる。
【００２５】
また、本実施形態に係る二重容器１では、雄ねじ部１７と雌ねじ部３４を多条ねじとしたことにより、一条ねじとした場合に比べて、内容器１０を上方に移動させる際の回動部材３０の回動距離を小さくすることができる。すなわち、回動部材３０を少し回動させるだけで、内容器１０を取外すことが可能となるため、内容器１０の取外しがさらに容易となる。また、雄ねじ部１７と雌ねじ部３４を多条ねじとしたことにより、新たな内容器１０を取付ける際の回動部材３０の回動距離が小さくなるため、内容器１０の取付けも容易となる。
【００２６】
また、本実施形態の二重容器１では、フランジ部３２の下面に設けた第１突起部３２ａの先端が上端筒部２７の上面２７ａに当接し、外周壁３３の第２突起部３３ａの先端が口部２６の上面２６ａに当接することで、回動部材３０が外容器２０に下方から支持される構成としている。これにより、回動部材３０を回転させた際の摺動抵抗が低減されるため、内容器１０の取外し及び取付けがさらに容易となる。
【００２７】
前述したところは、本発明の一実施形態を示したにすぎず、特許請求の範囲において、種々の変更を加えることができる。例えば、先の実施形態では外容器２０と外容器キャップ４０とがねじ係合する構成としたが、これに限定されず、着脱可能にアンダーカット係合する構成とすることも可能である。
【符号の説明】
【００２８】
１  二重容器
１０  内容器
１１  内容物収容部
１２  開口部
１３  周壁部
１４  底壁部
１５  外向き凸部（嵌合部）
１６  フランジ部
１６ａ  シール突起
１７  雄ねじ部
１８  縦リブ（凸部）
２０  外容器
２１  内容器収納部
２２  開口部
２３  側壁部
２４  底壁部
２５  雄ねじ
２６  口部
２６ａ  口部の上面
２７  上端筒部
２７ａ  上端筒部の上面
２８  外向き凸部（嵌合保持部）
２９  凹部
３０  回動部材
３１  筒状壁
３２  フランジ部
３２ａ  第１突起部
３３  外周壁
３３ａ  第２突起部
３３ｂ  外周面
３４  雌ねじ部
３５  内向き凸部（嵌合部）
３６  内向き凸部（嵌合保持部）
４０  外容器キャップ
４１  外壁部
４２  天壁部
４３  雌ねじ
４４  パッキン
５０  内容器キャップ
５１  天壁部
５２  外壁部
５３  封止筒
５４  環状凸部
５５  フランジ
５６  シール部材
Ｏ  軸線
Ｃ  内容物
【図１】
0006529341.tif 000002
【図２】
0006529341.tif 000003
【図３】
0006529341.tif 000004
【図４】
0006529341.tif 000005
【図５】
0006529341.tif 000006